(57)【特許請求の範囲】
【請求項１】
送りローラを備えたベースと該ベースの上端に固定される天板で成り一端面がディスク状記録媒体を装填するための装填口として開口されているシャーシの内部に、前記ディスク状記録媒体を回転させるターンテーブルを備えた基板を設け、その基板に前記ターンテーブルと対向する圧接盤を備えた揺動アームを開閉自在に取り付けたディスク再生装置において、
前記送りローラは前記ベースの両側面に形成した弧状の案内孔にて昇降自在に支持されてディスク状記録媒体の装填時に前記天板の裏面に固定したカバープレートとの間に挟まれるディスク状記録媒体を定位置まで移送し、
前記天板には、送りローラにより定位置まで移送される直前のディスク状記録媒体の端面による押圧力により揺動する揺動リンクが設けられると共に、
前記ベースには、その側面に沿って摺動するスライド板と該スライド板に連動する従動スライダとが設けられ、
前記スライド板は、前記送りローラを正逆に回転させるモータの動力が伝達される減速歯車列の一部に噛合されるラック部と、前記送りローラの一端が挿入される斜孔とを有して、ディスク状記録媒体の押圧力による前記揺動リンクの揺動時に該揺動リンクにより装填口側に移動され、これにより前記ラック部が減速歯車列の一部に噛合されて前記スライド板が前記装填口側への移動を継続しながら、前記斜孔により前記送りローラを押し下げて該送りローラをディスク状記録媒体から離脱させ、
前記従動スライダは、前記揺動アームの一部に形成した脚部を加圧する加圧部を有し、前記装填口側へのスライド板の移動時にこれに連動して同方向に移動し、これにより加圧部が脚部より離脱して前記ターンテーブルと圧接盤とによりディスク状記録媒体がクランプされる構成としたことを特徴とするディスク再生装置。
【発明の詳細な説明】
【０００１】
【産業上の利用分野】
本発明は、音楽情報などを記録したディスク状記録媒体の再生に用いられるディスク再生装置に関する。
【０００２】
【従来の技術】
近年、音楽情報などを記録したディスク状記録媒体として、ＣＤ（コンパクトディスク）やデジタルビデオディスク（ＤＶＤ）などがあるが、それらの記録情報を再生するＣＤプレーヤやＤＶＤプレーヤといったディスク再生装置には種々の機構が利用されている。
【０００３】
例えば、送りローラを備えたベースと該ベースの上端に固定される天板で成り一端面がディスク状記録媒体を装填するための装填口として開口されているシャーシの内部に、ディスク状記録媒体を回転させるターンテーブルを備えた基板を設け、その基板にターンテーブルと対向する圧接盤を備えた揺動アームを開閉自在に取り付けたディスク再生装置がよく知られている。そして、この種のディスク再生装置によれば、ディスク状記録媒体を送りローラと天板とで挟みながらシャーシの中に引き込み、これが定位置までロードされたときに送りローラをディスク状記録媒体から離脱させると共に、ターンテーブルと圧接盤とでディスク状記録媒体の中心をクランプしてその再生を行えるようになっている。
【０００４】
又、その種のディスク再生装置として、シャーシの天板に大小２種類あるディスク状記録媒体の大小を判別する判別機構を取り付け、その判別機構で大小２種類のディスク状記録媒体をターンテーブル上に案内できるようにしたものなどもある。
【０００５】
【発明が解決しようとする課題】
しかしながら、何れの装置もディスク状記録媒体を定位置まで移送するローディング機構や排出時のアンローディング機構などの内部機構が非常に煩雑であって小型化が困難であった。しかも、部品点数が多くなるために組立時の作業効率が悪く生産性に難点があった。
【０００６】
そこで、本発明は簡易構造でありながらディスク状記録媒体を定位置に適正に移送でき、その取り出しも確実に行えるようなディスク再生装置を提供することを目的とする。
【０００７】
【課題を解決するための手段】
本発明は上記目的を達成するため、送りローラを備えたベースと該ベースの上端に固定される天板で成り一端面がディスク状記録媒体を装填するための装填口として開口されているシャーシの内部に、前記ディスク状記録媒体を回転させるターンテーブルを備えた基板を設け、その基板に前記ターンテーブルと対向する圧接盤を備えた揺動アームを開閉自在に取り付けたディスク再生装置において、前記送りローラは前記ベースの両側面に形成した弧状の案内孔にて昇降自在に支持されてディスク状記録媒体の装填時に前記天板の裏面に固定したカバープレートとの間に挟まれるディスク状記録媒体を定位置まで移送し、前記天板には、送りローラにより定位置まで移送される直前のディスク状記録媒体の端面による押圧力により揺動する揺動リンクが設けられると共に、前記ベースには、その側面に沿って摺動するスライド板と該スライド板に連動する従動スライダとが設けられ、前記スライド板は、前記送りローラを正逆に回転させるモータの動力が伝達される減速歯車列の一部に噛合されるラック部と、前記送りローラの一端が挿入される斜孔とを有して、ディスク状記録媒体の押圧力による前記揺動リンクの揺動時に該揺動リンクにより装填口側に移動され、これにより前記ラック部が減速歯車列の一部に噛合されて前記スライド板が前記装填口側への移動を継続しながら、前記斜孔により前記送りローラを押し下げて該送りローラをディスク状記録媒体から離脱させ、前記従動スライダは、前記揺動アームの一部に形成した脚部を加圧する加圧部を有し、前記装填口側へのスライド板の移動時にこれに連動して同方向に移動し、これにより加圧部が脚部より離脱して前記ターンテーブルと圧接盤とによりディスク状記録媒体がクランプされる構成としたことを特徴とする。
【０００８】
【作用】
本発明によれば、ディスク状記録媒体の一部を装填口よりシャーシの内部に装填すると、これが送りローラにてターンテーブル上まで移送される。すると、スライド板が動作して送りローラを押し下げ、これをディスク状記録媒体から離脱させることになる。又、このとき従動スライダがスライド板に連動し、加圧部による揺動アームの脚部の加圧が解除される。これにより、揺動アームが基板に対して閉じ、ターンテーブルと圧接盤とによりディスク状記録媒体がクランプされて再生準備が整うことになる。
【０００９】
一方、ディスク状記録媒体の取り出し時には、モータの逆転を以てスライド板が逆向きに動作し、これにより送りローラがスライド板の斜孔にて押し上げられてディスク状記録媒体に接触し、これを装填口側に向けて送り出すようになる。このとき、揺動アームは従動スライダの加圧部にて脚部が加圧され押し上げられている。このため、ディスク状記録媒体は解放された状態にあり、送りローラにて円滑に移送されて外部に排出されることになる。
【００１０】
【発明の実施の形態】
以下、本発明の好適な一例を図面に基づいて詳細に説明する。図１は、本発明に係わるディスク再生装置の一例として車載用ＣＤプレーヤを示す。図中、１は金属製のシャーシであり、その一端面には装填口２が開口してある。
【００１１】
シャーシ１は凹字形に形成したベース３と、このベース３の上端に固定される天板４で成り、その内部に大小２種類のディスク状記録媒体を収容できるようにしてある。Ｄ，ｄはディスク状記録媒体としてのコンパクトディスクであり、これは装填口２からシャーシ１の中に装填され、必要に応じて装填口２から取り出せるようにしてある。
【００１２】
次に、図２はシャーシの内部を示した平面概略図である。図２において、５は鋼板などを所定形状に成形した基板であり、この基板５はベース３に固定したゴム製ダンパなどの緩衝器ｆにて３箇所を支持されている。基板５には略中央にステッピングモータ５１を固定し、そのステッピングモータ５１に近接して開口部５２を形成してある。そして、ステッピングモータ５１の駆動軸にターンテーブル５３を取り付け、開口部５２にはガイド軸５４に沿って動作するピックアップ５５を設けている。なお、ピックアップ５５はディスク状記録媒体の記録情報を読み取る既存の電子部品であって、これは基板５に固定した可逆モータ５６の動力を受け、ディスク状記録媒体の信号面に沿って平行移動するようにしてある。
【００１３】
又、６は鋼板などを所定形状に成形した揺動アームであり、この揺動アーム６は基端両側を基板５に枢着して先端部が基板５に対して揺動するようにしてある。特に、その先端部にはターンテーブル５３に対向して圧接盤６１を回転自在に取り付けている。ここで、ターンテーブル５３と圧接盤６１は通常の状態にあって一定の間隔をあけて近接しており、ディスク状記録媒体が装填されたとき圧接盤６１が下降し、この圧接盤６１とターンテーブル５３とでディスク状記録媒体の中心をクランプするようになっている。なお、６２は揺動アーム６の一部を基板５側に向けて屈曲した止金、Ｒはディスク状記録媒体を移送する送りローラ、Ｍはその送りローラＲを正逆に回転させるモータ、８はベース３の側面に摺動自在に取り付けた合成樹脂製のスライド板、９はベース３の底面に摺動自在に取り付けてスライド板８に連動するようにした従動スライダである。
【００１４】
次に、図３は天板４の裏面に取り付けた判別機構を示す。７１，７２は連動リンク、７３はロックプレート、７４は直動リンク、７５は揺動リンクであり、それぞれ合成樹脂や鋼板を所定形状に成形して成る。判別機構はそれら数種の部品７１〜７５を天板４の裏面に取り付けて成り、この判別機構によれば径の異なる大小２種類のディスク状記録媒体として、例えば直径１２ｃｍのコンパクトディスクと直径８ｃｍのコンパクトディスクを判別して各々定位置に案内することができる。
【００１５】
連動リンク７１，７２は、矢印Ａで示すディスク状記録媒体の装填方向の両側にリベット７１ａ，７２ａで揺動自在に取り付けてあり、それぞれ一端を腕部７１ｂ，７２ｂとして装填口２側に延長し、他端にはベース側に向けて垂下する突部７１ｃ，７２ｃをそれぞれ形成している。特に、腕部７１ｂ，７２ｂの一方に長孔７１ｄを開口し他方にはピン７２ｄを突設している。そして、その長孔７１ｄとピン７２ｄを係合して連動リンク７１，７２の一端を連接し、その連動リンク７１，７２がそれぞれリベット７１ａ，７２ａの部分を回転中心として連動するようにしている。７１ｅ，７１ｆ，７１ｇはピンであり、それぞれ一方の連動リンク７１の側縁から上向きに突設してある。又、７２ｅは他方の連動リンク７２に開口した穴である。この穴７２ｅには捻りばねＳ１の一端を係止し、その他端を天板４の一部に係止している。
【００１６】
ロックプレート７３は、連動リンク７１の上部側でリベット７３ａにて揺動自在に取り付けてあり、その一端を装填口２に向けて延ばして天板４の一部と引張ばねＳ２で繋いでいる。７３ｂは一端に突設した解錠ピンであり、この解錠ピン７３ｂは装填口２に近接する状態でベース側に垂下されている。又、７３ｃは他端に突設したロック片であり、このロック片７３ｃはベース側に垂下されてディスク状記録媒体の非装填時に連動リンク７１のピン７１ｅと係合するようにしてある。
【００１７】
直動リンク７４は、連動リンク７１とロックプレート７３の中間にあって、両端に設けたガイドピン７４ａを天板４のガイド孔４１に係合してディスク状記録媒体の装填方向Ａに向け可動とされている。又、その一端にはピン７４ｂを突設して該ピン７４ｂを連動リンク７１の長孔７１ｈと係合し、他端には揺動リンク７５をガイドピン７４ａにて揺動自在に取り付けている。
【００１８】
揺動リンク７５は、その一部を引張ばねＳ３を介して直動リンク７４と繋いである。また、その一端には突起７５ａを設け、他端には係止ピン７５ｂを突設している。突起７５ａは突部７１ｃ，７２ｃの中間に位置してベース側に垂下されており、係止ピン７５ｂはベースの側面に設けたスライド板８のフック８１に係止して引張ばねＳ３の作用による揺動を規制している。ここで、スライド板８はベースの内部に導入したフック８２に引張ばねＳ４の一端を係止して揺動リンク７５を引張ばねＳ３のばね力に抗して図３の時計方向に付勢している。
【００１９】
なお、図３において、Ｌ１，Ｌ２は天板４に設けたセンサ、７６ａは後述するカバープレートに例えば１２ｃｍの間隔で形成した突条である。
【００２０】
次に、図４はシャーシ１の側面を示す。３１はベース３に形成したガイド溝であり、スライド板８はそのガイド溝３１に沿って摺動可能な状態に取り付けられている。特に、スライド板８のフック８１，８２はベース３と天板４の間隙からシャーシ１の内部に導入せしめてある。３２はベース３の両側面に形成した弧状の案内孔であり、送りローラＲはその案内孔３２に両端を係合せしめて昇降自在に支持している。
【００２１】
一方、スライド板８には送りローラＲの一端が挿入される略４５度勾配の斜孔８３が形成してあり、その斜孔８３の側縁で送りローラＲの一端を加圧して送りローラＲを案内孔３２に沿って昇降できるようにしてある。更に、スライド板８には長手方向に向けて長孔８４を開口し、その長孔８４の上縁をラック部８５として形成している。そして、長孔８４の一端側にはスライド板８が装填口２に向けて移動したときにラック部８５と噛合する後述のピニオンＧ４ｂを配設している。なお、８６はスライド板８に形成した窓部であり、その窓部８６には図２に示した従動スライダ９のピン９１を係合してある。従って、スライド板８がベース３の側面に沿って摺動するとき、従動スライダ９もこれに連動して同方向に摺動することになる。
【００２２】
なお、そのピン９１はベース３の側面に沿って形成した図示せぬスリットを貫通して窓部８６に係合させている。又、従動スライダ９には図２に示すように水平軸状の加圧部９２があり、ディスク状記録媒体の装填時にはその加圧部９２が後述する脚部を加圧して揺動アーム６を基板５に対して開放するようにしてある。
【００２３】
次に、図５はシャーシ１の内部構造を示した側面図である。７６は合成樹脂などで成る平滑なカバープレートであり、このカバープレート７６は装填口２側にあって天板４の裏面に固定されており、判別機構の一部がそのカバープレート７６にて覆われるようにしている。そして、装填口２から装填されるコンパクトディスクＤ，ｄが送りローラＲとカバープレート７６とで挟み込まれた状態で移送されるようにしてある。
【００２４】
Ｇ１は送りローラＲの一端に固定した歯車、Ｇ２〜Ｇ４はベース３の内側面に取り付けた歯車、Ｇ５はモータＭの駆動軸に装着したウォームであり、それら減速歯車列はモータＭの動力が伝達されて相互に回転するようにしてある。ここで、歯車Ｇ２はウォーム軸Ｇ２ａと小歯車Ｇ２ｂと大歯車Ｇ２ｃを有する三段構成であり、このうちウォーム軸Ｇ２ａがモータＭのウォームＧ５に噛合している。又、歯車Ｇ３，Ｇ４は二段構成とされており、このうち歯車Ｇ３の大歯車Ｇ３ａが歯車Ｇ２の小歯車Ｇ２ｂと噛合し、その小歯車Ｇ３ｂが歯車Ｇ４の大歯車Ｇ４ａと噛合している。なお、歯車Ｇ４の一部は前述のラック部８５と噛合するピニオンＧ４ｂとして形成し、そのピニオンＧ４ｂをベース３の側面から外部に突出させてラック部８５に臨めている。
【００２５】
ここで、基板５と揺動アーム６は引張ばねＳ５で繋がれており、その引張ばねＳ５でターンテーブル５３と圧接盤６１を閉じ方向に付勢している。一方、揺動アーム６には下方に向けて脚部６３を形成し、その脚部６３を通じてターンテーブル５３と圧接盤６１を開放できるようにしている。すなわち、コンパクトディスクの非装填時には従動スライダ９の加圧部９２が脚部６３の下端にあって揺動アーム６を加圧して押し上げており、このときターンテーブル５３と圧接盤６１が開放していて装填されるコンパクトディスクＤ，ｄを相互間に受け入れられる状態で待機している。そして、コンパクトディスクＤ，ｄの中心が判別機構にてターンテーブル５３上に案内されたとき、従動スライダ９の摺動をもって加圧部９２が脚部６３から離脱し、これによりコンパクトディスクＤ，ｄの中心がターンテーブル５３と圧接盤６１とでクランプされることになる。
【００２６】
次に、図６と図７に基づいて一連の動作を説明する。図６は小径のディスク状記録媒体として直径８ｃｍのコンパクトディスクｄを装填するときの動作を示し、図７は大径のディスク状記録媒体として直径１２ｃｍのコンパクトディスクＤを装填するときの動作を示してある。
【００２７】
図６において、（１）は初期状態であり、この状態にあってコンパクトディスクｄは突条７６ａの間でどこからでも装填することができる。そこで、コンパクトディスクｄを装填口２より装填すると、これをセンサＬ１が検出して送りローラＲを回転させる。そうすると、コンパクトディスクｄは（２）に示すように送りローラＲでシャーシの内部に移送されるようになる。ここで、ｄ′，ｄ″で示すように装填口２の両側から装填されたコンパクトディスクｄ′，ｄ″は、端面が突部７１ｃ，７２ｃの一方に衝突するようになる。
【００２８】
このとき、連動リンク７１，７２はリベット７１ａ，７２ａを中心として突部７１ｃ，７２ｃの開き方向へ揺動しようとするが、その揺動はロック片７３ｃが連動リンク７１のピン７１ｅに係合していることによって規制される。特に、コンパクトディスクｄ″では装填時にその端面で解錠ピン７３ｂを加圧してロック片７３ｃによる連動リンク７１，７２の揺動規制を一時的に解除することとなるが、その端面が突部７１ｃに衝突する頃には解錠ピン７３ｂがコンパクトディスクｄ″から解放され、ロックプレート７３が引張ばねＳ２の作用で初期状態に復帰してロック片７３ｃが連動リンク７１のピン７１ｅに係合することとなる。このため、コンパクトディスクｄはどの位置から装填しても突部７１ｃ，７２ｃにて進行を阻害されて定位置に停止される。
【００２９】
（３）に示すように、コンパクトディスクｄが定位置に停止される直前、その端面は揺動リンク７５の一端に設けた突起７５ａを加圧する。そうすると、揺動リンク７５は図６の反時計方向に回転し、他端に設けた係止ピン７５ｂでスライド板８を引張ばねＳ４のばね力に抗して装填口２側に移動させるようになる。すると、図４に示すラック部８５と減速歯車列の一部であるピニオンＧ４ｂが噛合し、モータＭの動力にてスライド板８の移動が継続されることとなる。スライド板８が移動を始めると、その斜孔８３でコンパクトディスクｄを移送していた送りローラＲが押し下げられ、その送りローラＲがコンパクトディスクｄから充分に離れた頃にはスライド板８が図示せぬスイッチを押してモータＭが停止されることとなる。
【００３０】
一方、スライド板８の移動時において、（４）に示すようにスライド板８のフック８１がロックプレート７３の末端を加圧して、ロックプレート７３を図６の時計方向に回転させる。すると、ロック片７３ｃがピン７１ｅから外れ、その直後にロックプレート７３の側縁がピン７１ｆを加圧して連動リンク７１，７２を突部７１ｃ，７２ｃの開き方向に揺動させることとなる。このため、突部７１ｃ，７２ｃがコンパクトディスクｄの端面から離脱し、揺動リンク７５はスライド板８による係止ピン７５ｂの押さえが無くなって突起７５ａが引張ばねＳ３の作用でコンパクトディスクｄの端面から離脱するようになる。
【００３１】
又、このとき従動スライダがスライド板８に連動し、その加圧部９２が図５に示すように実線の位置から想像線の位置へと移動されることとなる。このため、加圧部９２で押し上げられていた揺動アーム６は引張ばねＳ５の作用で引き下げられるようになり、このとき定位置に停止しているコンパクトディスクｄの中心がターンテーブル５３と圧接盤６１とでクランプされて再生準備が整えられる。
【００３２】
なお、コンパクトディスクｄの装填完了時にはピン７１ｆがロックプレート７３の側縁に接触する一方、ピン７１ｇがスライド板８のフック８２に接触することにより振動などによる連動リンク７１，７２のぶらつきが防止される。
【００３３】
次に、図７において、コンパクトディスクＤは（１）に示すように突条７６ａで案内されながら送りローラＲにてシャーシの内部に移送される。特に、コンパクトディスクＤはその端面で解錠ピン７３ｂを加圧しながら進行し、やがて突部７１ｃ，７２ｃに衝突するようになる。その状態が（２）であり、このときロック片７３ｃとピン７１ｅとの係合状態が解かれていて、連動リンク７１，７２は突部７１ｃ，７２ｃの開き方向に揺動可能な状態にある。このため、コンパクトディスクＤは突部７１ｃ，７２ｃを押し広げながら進行を続ける。ここで、突部７１ｃ，７２ｃの間隔が大きく開くと連動リンク７１，７２は捻りばねＳ１の作用で突部７１ｃ，７２ｃが全開する状態まで揺動するようになり、また揺動リンク７５は直動リンク７４を通じて後方へ押しやられるようになる。そして、コンパクトディスクＤが止金６２にて定位置に停止される直前に、その端面が（３）に示すように揺動リンク７５の突起７５ａを加圧することとなる。
【００３４】
そうすると、後はコンパクトディスクｄの時と同様で、スライド板８の移動にて突起７５ａがコンパクトディスクＤの端面から離脱するとともに、ターンテーブル５３と圧接盤６１で定位置にあるコンパクトディスクＤの中心がクランプされて再生準備が整うこととなる。ここで、止金６２はコンパクトディスクＤのクランプ時における揺動アーム６の動作にてコンパクトディスクＤの端面から離脱し、あるいはコンパクトディスクＤがクランプ時にテーパ状のターンテーブル５３にてやや前方へ移動されることによりコンパクトディスクＤの端面から離脱することとなる。なお、（４）に示すコンパクトディスクＤの装填完了時には、スライド板８のフック８２がピン７１ｇと咬み合って振動などによる連動リンク７１，７２のぶらつきを防止する。
【００３５】
以上、本発明の好適な一例を説明したが、本発明によれば大小２種類のディスク状記録媒体の再生機能を備える必要はなく、一種のディスク状記録媒体の再生専用としてもよい。更に、本発明のディスク再生装置によれば、コンパクトディスクを再生するＣＤプレーヤの他、ＤＶＤプレーヤなどにも応用できることは勿論である。
【００３６】
【発明の効果】
以上の説明で明らかなように、本発明によれば、送りローラを正逆に回転させるモータの動力を利用してスライド板をベースの側面に沿って摺動させるようにしたためスライド板の動作が確実であり、特にディスク状記録媒体の装填時には、ディスク状記録媒体が定位置まで移送されたときにスライド板が動作して送りローラをディスク状記録媒体から離脱させるため、再生時におけるディスク状記録媒体の回転が阻害されず、しかもディスク状記録媒体の取り出し時にはモータの逆転により送りローラとスライド板とが逆向きに動作するから、その取り出しを適正に行うことができる。
【００３７】
又、スライド板はベースの側面に沿って動作するようにしているから、その取り付けに多くの領域を必要とせずコンパクトになり、組立作業も容易になって生産性が上がる。
【００３８】
更に、ベースに従動スライダを取り付けて基板に対する揺動アームの開閉動作を行えるようにしているから、ターンテーブルと圧接盤とによるディスク状記録媒体のクランプ及びその解放を適正に行うことができ、特に従動スライダをスライド板に連動させるようにしているから送りローラの昇降動作と揺動アームの開閉動作とのタイミング調整が容易であり、相互の動作を確実に行え得る。
【図面の簡単な説明】
【図１】本発明に係わるディスク再生装置を示す斜視図
【図２】そのディスク再生装置におけるシャーシの内部を示す平面概略図
【図３】天板に取り付けたディスク状記録媒体の判別機構を示す平面図
【図４】シャーシを示す側面図
【図５】シャーシの内部を示す側面概略図
【図６】小径のディスク状記録媒体の装填時における判別機構の動作を示す平面図
【図７】大径のディスク状記録媒体の装填時における判別機構の動作を示す平面図
【符号の説明】
１  シャーシ
２  装填口
３  ベース
３２  案内孔
４  天板
５  基板
５３  ターンテーブル
６  揺動アーム
６１  圧接盤
６３  脚部
８  スライド板
８３  斜孔
８５  ラック部
９  従動スライダ
９２  加圧部
Ｄ，ｄ  コンパクトディスク
Ｒ  送りローラ
Ｍ  モータ
Ｇ４ｂ  ピニオン
【図１】
0003691163.tif 000002
【図２】
0003691163.tif 000003
【図３】
0003691163.tif 000004
【図４】
0003691163.tif 000005
【図５】
0003691163.tif 000006
【図６】
0003691163.tif 000007
【図７】
0003691163.tif 000008